(57)【要約】      （修正有）【課題】  未開封を保証でき、開封操作の簡単な二剤混合容器を提供すること。【解決手段】  容器本体Ａと、内キャップＢ、および押下げ部材２３を装着した外キャップＣとからなり、内キャップは、破断可能な底壁を連設し容器口筒部内周に嵌合する内筒と、上面に回転止めリブを設け、周縁部に弾力のある複数のラチェット片を立設した上壁、および内面に容器口筒部外周のねじに螺合するねじを螺設した外筒とを具備し、外キャップは、内方へ突出する凸部と凹部とから歯車状に形成され、凸部の内周に沿って係合脚を垂設し、周縁部にラチェット歯が配設された頂壁と、外周壁、および頂壁に切断可能な弱化部を介して連設された押下げ部材を具備し、押下げ部材は、外キャップの頂壁の凹部に係合する凸部と凹部とから歯車状に形成され、凸部下面には、回転止めリブと噛み合う係止リブが配設された頂壁と、下端に切断刃が設けられ側筒壁とからなっている。【選択図】  図１
2006124002.tif 000002
【特許請求の範囲】
【請求項１】
容器本体と、容器本体の内容物とは異なる内容物を収納した内キャップ、および押下げ部材を装着した外キャップとからなる二剤混合容器であって、
内キャップは、破断可能な底壁を連設し容器口筒部内周に嵌合する内筒と、上面に回転止めリブを設け、周縁部に弾力のある複数のラチェット片を立設した上壁、および内面に容器口筒部外周のねじに螺合するねじを螺設した外筒とを具備しており、
外キャップは、内方へ突出する凸部と凹部とから歯車状に形成され、凸部の内周に沿って係合脚を垂設し、周縁部にラチェット歯が配設された頂壁と、外周壁、および頂壁に切断可能な弱化部を介して連設された押下げ部材を具備しており、
押下げ部材は、外キャップの頂壁の凹部に係合する凸部と凹部とから歯車状に形成され、凸部下面には、回転止めリブと噛み合う係止リブが配設された頂壁と、下端に切断刃が設けられ側筒壁とからなっていることを特徴とする二剤混合容器。
【発明の詳細な説明】
【技術分野】
【０００１】
本発明は、分離して収納した二剤を簡単な操作で混合できるようにした二剤混合容器に関するものである。
【背景技術】
【０００２】
薬剤等の混合容器において、第１剤を収納した第１容器と、該容器口筒部に螺着された第２剤を収納した第２容器との間に、ストッパーを配設し、ストッパーを取外すことによって、第２剤を収納した第２容器を降下させ、容器底面のシールを破断させて第２剤を落下混合させるようにした二剤混合容器は、従来より知られている（例えば、特許文献１参照）。
【０００３】
また、容器本体を破断可能なシートを境にして上下二室とし、上室、下室に異種の液体を収納し、容器本体にシートを破断する刃体を設けた注出筒を螺着させた二液混合容器において、注出筒の外壁下端に切断可能な連結片を介してバージンシールを連設し、該バージンシールの下端を容器本体に設けたフランジに当接させた二液混合容器も、従来より知られている（例えば、特許文献２参照）。
【特許文献１】実公平７−３９８２８号公報
【特許文献２】実公昭６３−１８５８９号公報
【発明の開示】
【発明が解決しようとする課題】
【０００４】
しかしながら、上記特許文献１記載の従来技術では、二液の混合使用にあたっては、容器間の螺着を解いて、第２容器を一旦開いてストッパーを取外し、再び第２容器を閉じ、シールを破断して第２剤を落下混合させており、操作が簡単でないという問題があった。
【０００５】
また、上記特許文献２記載の従来技術では、バージンシールの端縁に指先を入れ連結片を切断してバージンシールを取外し、注出筒を締め直してシートを破断しているので、開封操作が簡単でないという問題があった。
また、容器本体、注出筒とキャップ、バージンシールと部品数も少なくなく、さらにまた、容器本体を区分するため、第１剤収納後に所定の位置にシールを貼着しており、製造工程も複雑となり、コスト高になるという問題があった。
【０００６】
本発明は、上記問題を解決することを課題として、容器本体に収納した内容物と異なる第２剤を収納した内キャップと、押下げ部材を装着した外キャップとの間に、ラチェット機構を装着し、外キャップを開蓋不能とし、押下げ部材を押下げて内キャップ底壁を開封し、第２剤を混合するとともに開封状態を表示し、外キャップを廻動させることによって、キャップを開閉可能とした二剤混合容器を提供することを目的とする。
【課題を解決するための手段】
【０００７】
本発明は、上記の課題を解決するため、二剤混合容器として、容器本体と、容器本体の内容物とは異なる内容物を収納した内キャップ、および押下げ部材を装着した外キャップとからなる二剤混合容器であって、内キャップは、破断可能な底壁を連設し容器口筒部内周に嵌合する内筒と、上面に回転止めリブを設け、周縁部に弾力のある複数のラチェット片を立設した上壁、および内面に容器口筒部外周のねじに螺合するねじを螺設した外筒とを具備しており、外キャップは、内方へ突出する凸部と凹部とから歯車状に形成され、凸部の内周に沿って係合脚を垂設し、周縁部にラチェット歯が配設された頂壁と、外周壁、および頂壁に切断可能な弱化部を介して連設された押下げ部材を具備しており、押下げ部材は、外キャップの頂壁の凹部に係合する凸部と凹部とから歯車状に形成され、凸部下面には、回転止めリブと噛み合う係止リブが配設された頂壁と、下端に切断刃が設けられ側筒壁とからなっていることを特徴とする構成を採用する。
【発明の効果】
【０００８】
本発明の二剤混合容器は、容器本体の内容物と異なる内容物を収納した内キャップと外キャップとの間に、ラチェット機構を配設しているので、閉蓋方向への廻動で密閉可能であり、開方向への廻動には外キャップが空回りし密閉が確保できる。
押下げ部材を押し込むことにより連結片が切り離され、同時に内キャップの底壁が破断され、二剤が混合し、開封表示がされるとともに、押下げ部材の係止リブが内キャップの回転止めリブに係合する。
次いで、外キャップの係合脚が、押下げ部材の凸部と係合されているので、キャップを廻動させることによって開閉することができる。
【発明を実施するための最良の形態】
【０００９】
次に、本発明の二剤混合容器について説明する。
本混合容器は、内容物として、液体または粉体等の薬品、化粧品、食料品等が収納されるもので、以下図面を参照して説明する。
【００１０】
図１に示すように、本発明の二剤混合容器は、容器本体Ａと内キャップＢ、および押下げ部材を装着した外キャップＣとから構成され、容器本体Ａは、口筒部１と肩部２とを具えており、口筒部１外周には、ねじ３が螺設されている。
【００１１】
図１、２に示すように、内キャップＢは、内筒４と上壁５と外筒６とから構成され、内筒４の下端には、底壁７が連設されている。
【００１２】
内筒４は、容器本体Ａの口筒部１内周に嵌合する大径部８と、その下方の縮径された小径部９とからなっており、内筒４上端内周には、係合突条１０が設けられ、底壁７との連設部には、小径部９内周に沿って破断溝１１が刻設されている。
【００１３】
上壁５上面の中央部には、放射状に延びる複数の回転止めリブ１２が設けられ、その外方の周縁部には、湾曲して延びる弾力のある複数のラチェット片１３が立設されている。
【００１４】
外筒６の内周には、口筒部１のねじ３と螺合するねじ１４が螺設され、下端外周には、環状鍔部１５が突設されている。
【００１５】
図１、３に示すように、外キャップＣは、頂壁２０とその周縁から垂設された外周壁２１、頂壁２０に連結片２２、または薄肉の弱化部を介して連設された押下げ部材２３とから構成されている。
頂壁２０は、内方に突出する複数の凸部２４と、その間の凹部２５とによって歯車状に形成され、凸部２４の内周に沿って、円弧状の係合脚２６が垂設されている。
頂壁２０の周縁部には、外周壁２１に沿って、前記内キャップＢのラチェット片１３と噛み合う複数のラチェット歯２７が設けられている。
【００１６】
外周壁２１の内周下方には、内キャップＢの外筒６の環状鍔部１５が摺動する環状溝２８が設けられている。
【００１７】
押下げ部材２３は、頂壁３０と側筒壁３１とからなり、頂壁３０は、歯車状の頂壁２０に対応して、凸部２４と係合する凹部３２と、凹部２５と係合するよう外方に突出する凸部３３とによって歯車状に形成され、凸部３３と凹部２５の中央部は、切断可能な連結片２２によって接続されている。
なお、連結片２２に変えて、凸部３３と凹部２５との間隙、または、歯車状の頂壁２０と頂壁３０との間隙全体を、破断可能な薄肉の弱化部で接続してもよい。
各凸部３３の下面には、側筒壁３１の間で放射状に延び、回転止めリブ１２と噛み合う係止リブ３４が設けられている。
【００１８】
側筒壁３１の中間の所定位置には、係合突条３５が突設され、下端には、切断刃３６が設けられている。
【００１９】
次に本発明の二剤混合容器の使用態様と、作用効果について説明する。
まず、混合容器の組立方法について述べると、容器本体Ａ内の内容物とは異なる液体、または粉体等からなる第２剤を、倒立した外キャップＣの押下げ部材２３の側筒壁３１内に充填し、内キャップＢの内筒４を被せて嵌挿すると、内筒４の係合突条１０が、押下げ部材２３の側筒壁３１の係合突条３５に係合し、内筒４の小径部９が側筒壁３１外周に嵌合し、側筒壁３１内が密封される。
【００２０】
また、環状鍔部１５が、環状溝２８に係合し、ラチェット片１３とラチェット歯２７が係合して内キャップＢと外キャップＣとが一体化され、正立状態にすると、内キャップＢと外キャップＣの側筒壁３１との間に、第２剤を収納した一体化された内外キャップが得られる。
【００２１】
次に、一体化された内外キャップを、容器口筒部１に被嵌すると、図４（ａ）に示すように、ラチェット歯２７がラチェット片１３に噛み合い、内キャップＢのねじ１４が口筒部１のねじ３と螺合して降下し、内キャップＢの上壁５が、口筒部１天面に当接し、外キャップＣの外周壁２１下端が、肩部２に接近して位置するようにして、二剤混合容器の組立が完了する。
【００２２】
店頭への陳列時には、二剤混合容器は、容器本体Ａをもって外キャップＣを廻しても、内キャップＢが容器口筒部１の天面に当接しているので、それ以上に下降させることはできず、開蓋の方向に廻しても、ラチェット歯２７とラチェット片１３とは噛み合わないので空廻りするだけで、内キャップＢを容器本体Ａから外すことができない。
したがって、押下げ部材２３の連結片２２が切断されていないことによって、二剤混合容器が未開封であることが保障される。
【００２３】
使用にあたっては、押下げ部材２３を押圧して押込むと、図４（ｂ）に示すように、連結片２２が切断されて、押下げ部材２３が下降し、側筒壁３１下端の切断刃３６により、底壁７の破断溝１１が切断され、第２剤が容器本体Ａ中に落下し、容器本体Ａ内の内容物と混合される。
その際、内筒４の大径部８の内径は、大径となっているので、押下げ部材２３の側筒壁３１は自由に摺動し、縮径された小径部９に達するとともに、係合突条３５が小径部９の上端に当接することで、下降が停止される。
【００２４】
また、連結片２２の切断、押下げ部材２３の下降によって、開封されたことが表示される。
【００２５】
押下げ部材２３が下降した際には、係止リブ３４が内キャップＢの回転止めリブ１２に係合して、押下げ部材２３は、内キャップＢと一体に廻動され、押下げ部材２３の頂壁３０の凸部３３と、外キャップＣの頂壁２０の係合脚２６が係合し、外キャップＣの廻動とともに、内キャップＢも廻動し、内外キャップを容器口筒部１から取外すことができ、二剤混合液を注出することができる。
【００２６】
一定量の注出後に、残液を保存するときには、外キャップＣを閉じる方向に廻すと、ラチェット歯２７とラチェット片１３との噛み合い、および押下げ部材２３頂壁３０の凸部３３と、外キャップＣ頂壁２０の係合脚２６との係合によって閉蓋することができる。
したがって、使用中には、内外キャップを自由に開閉することができる。
【００２７】
上記実施形態では、ラチェット歯２７を外キャップＣに設け、ラチェット片１３を内キャップＢに設けたが、設ける位置を逆にしてもよく、ラチェット機構の形状についても、実施形態に限定されない。
【産業上の利用可能性】
【００２８】
外キャップを廻しても、内キャップが廻らないので未開封を保障でき、しかも小さな力で押下げ部材を押し込む操作のみで二剤が混合可能なので、操作性に優れた混合容器を廉価に供することが可能であり、薬品、化粧料、食料品等さまざまな用途の二剤混合容器として利用できる。  
【図面の簡単な説明】
【００２９】
【図１】本発明の二剤混合容器の縦断立面図である。
【図２】内キャップの説明図で、（ａ）は上面図、（ｂ）は断面立面図である。
【図３】外キャップの説明図で、（ａ）は上面図、（ｂ）は断面立面図、（ｃ）は底面図である。
【図４】二剤混合容器使用時の説明図で、（ａ）は混合前、（ｂ）は混合後の断面立面図である。
【符号の説明】
【００３０】
Ａ    容器本体
Ｂ    内キャップ
Ｃ    外キャップ
１    口筒部
２    肩部
３    ねじ
４    内筒
５    上壁
６    外筒
７    底壁
８    大径部
９    小径部
１０  係合突条
１１  破断溝
１２  回転止めリブ
１３  ラチェット片
１４  ねじ
１５  環状鍔
２０  頂壁
２１  外周壁
２２  連結片
２３  押下げ部材
２４、３３  凸部
２５、３２  凹部
２６  係合脚
２７  ラチェット歯
２８  環状溝
３０  頂壁
３１  側筒壁
３４  係止リブ
３５  係合突条
３６  切断刃
【図１】
2006124002.tif 000003
【図２】
2006124002.tif 000004
【図３】
2006124002.tif 000005
【図４】
2006124002.tif 000006